【事件の表示】
　特願２００４−　８６３１４「物品収納設備」拒絶査定不服審判事件〔平成１７年１０月　６日出願公開、特開２００５−２７２０５３〕について、次のとおり審決する。
【結　論】
　本件審判の請求は、成り立たない。
【理　由】
　
１．手続の経緯 
　
　本件出願は、平成１６年３月２４日の出願であって、平成２０年１０月２７日付けで拒絶理由が通知され、これに対して平成２０年１２月１３日付けで意見書及び手続補正書が提出されたが、平成２１年６月２９日付けで拒絶査定がなされ、平成２１年９月８日付けで拒絶査定に対する不服審判が請求されたものである。 
　
２．本件発明  
　
　本件出願の請求項１ないし４に係る発明は、平成２０年１２月１３日付けの手続補正書により補正された明細書及び特許請求の範囲並びに出願当初の図面の記載からみて、その特許請求の範囲の請求項１ないし４に記載された事項により特定されるものと認められ、そのうち、請求項１に係る発明（以下、「本件発明」という。）は、以下のとおりのものと認める。
　
　「【請求項１】
　奥行き方向に物品収納位置が複数個設定されて複数の物品を並べて収納可能な物品収納部を並べて構成される物品収納棚と、その物品収納棚に対して入出庫する物品の受け渡しをするための荷捌き部と、その荷捌き部と前記物品収納部との間で物品を搬送する物品搬送装置と、その物品搬送装置による物品の搬送を管理する入出庫管理装置とが設けられ、
　前記物品搬送装置に、前記物品収納部において奥行き方向に並んで収納される複数の物品の全てを一括して搭載可能な搭載幅の物品搭載部を有して前記物品収納部との間で物品の移載を行うスライドフォーク式の移載装置が備えられている物品収納設備であって、
　前記荷捌き部において、前記物品搬送装置側寄りの手前側の物品収納位置に対応した位置に前記物品搬送装置の移動経路に沿う姿勢で、単列の入庫用コンベアが備えられ、
　前記移載装置は、前記入庫用コンベア上の物品を、前記物品搭載部におけるいずれの物品搭載予定位置へも搭載可能となるように、前記物品搭載部の突出作動量を複数段階に切り換え可能で、且つ、前記物品収納部に対する物品の移載時においても前記複数段階の突出作動量の切り換えによって物品の移載が可能に構成されている物品収納設備。」 
　
３．刊行物に記載された発明
　
（１）刊行物の記載事項
　
　原査定の拒絶の理由に引用された、本件出願前に頒布された特開２００２−１６０８０６号公報（以下、「刊行物」という。）には、次の事項が図面とともに記載されている。
　
ａ）「【０００１】
【発明の属する技術分野】本発明は、奥行き方向に複数の物品を並べて収納可能な物品収納部を並べて構成される物品収納棚と、その物品収納棚に対して入出庫する物品の受け渡しをするための荷捌き部と、その荷捌き部と前記物品収納部との間で物品を搬送する物品搬送装置と、その物品搬送装置を制御する搬送制御装置とが設けられ、前記物品搬送装置に、前記物品収納部との間で物品の移載を行う移載装置が備えられている物品収納設備に関する。」（段落【０００１】）
　
ｂ）「【００１４】
【発明の実施の形態】以下、本発明の物品収納設備の実施の形態を図面に基づいて説明する。本実施の形態の物品収納設備ＳＳは、パレット上に種々の冷凍食品等を載置した物を収納対象の物品Ｌとして取り扱い、図示は省略するが設備全体が冷凍倉庫内に設置されている。物品収納設備ＳＳは、平面視である図１に示すように、物品収納棚１と、物品収納棚１に対して入出庫する物品Ｌの受け渡しをするための荷捌き部ＬＴと、その荷捌き部ＬＴと物品収納棚１の各物品収納部１０との間で物品を搬送する物品搬送装置としてのスタッカクレーン２とが設けられて構成されている。
【００１５】物品収納棚１は、図１及び図２に示すように、スタッカクレーン２の移動経路の両側に一対に配置され、夫々の物品収納棚１は、奥行き方向に２個の物品Ｌを並べて収納可能な物品収納部１０を図３に示すように縦横に並べて構成されている。各物品収納部１０は、物品Ｌの下面を左右から支承する一対の腕木１０ａを支持部材を介して支柱１０ｂに取り付けることにより構成されており、２点鎖線で示す物品Ｌによって夫々の物品収納位置を示している。
【００１６】荷捌き部ＬＴは、物品収納設備ＳＳに対して物品Ｌを搬出入するための搬出入コンベア３０から、搬送方向が直交する状態で分岐する入庫コンベア１１と出庫コンベア１２とが設けられている。入庫コンベア１１及び出庫コンベア１２の何れも２列で物品Ｌを搬送するように２列に配置されており、この２列の搬送列の間隔は、物品収納部１０における物品収納位置の並び間隔と一致している。入庫コンベア１１における物品収納棚１側端部には、荷捌き部ＬＴと後述するスタッカクレーン２の移載装置３との間で物品Ｌを移載するために物品Ｌを持ち上げるリフタ１４が各搬送列毎に備えられ、同様に、出庫コンベア１２においても同様の構成のリフタ１５が各搬送列に備えられている。
【００１７】２列の入庫コンベア１１夫々に備えられた２基のリフタ１４及び２列の出庫コンベア１２夫々に備えられた２基のリフタ１５は、夫々、並び方向での位置関係が物品収納部１０における物品収納位置の位置関係と対応しており、荷捌き部ＬＴは、物品収納部１０の物品収納位置と対応して物品Ｌが一連に並ぶ状態の設定保持位置に保持可能に構成されている。尚、以下において、説明の便宜上、入庫コンベア１１のリフタ１４のうち移載装置３から遠い側のリフタ１４を入庫第１リフタ１４ａと、近い側のリフタ１４を入庫第２リフタ１４ｂと呼び、出庫コンベア１２のリフタ１５のうち移載装置３から遠い側のリフタ１５を出庫第１リフタ１５ａと、近い側のリフタ１５を出庫第２リフタ１５ｂと呼ぶ場合がある。一方、搬出入コンベア３０における入庫コンベア１１及び出庫コンベア１２との接続箇所には、両者の間で物品Ｌの受け渡しをするための昇降コンベア３１が設けられている。
【００１８】スタッカクレーン２は、床面側の案内レール２０ａに沿って走行する台車２ａと、台車２ａに立設された一対の支柱２ｂと、その支柱２ｂに昇降案内される昇降台２ｃとを備えて構成され、一対の支柱２ｂは上端で連結されて、その連結部が天井側の案内レール２０ｂにて案内される。昇降台２ｃには、物品収納部１０との間で物品Ｌの移載を行うスライドフォーク式の移載装置３が備えられており、図２に示すように、この移載装置３上には物品Ｌを移載方向に沿って２個載置することができる。移載装置３のストローク（プライマリフォークのストローク）は、搭載する２個の物品Ｌを物品収納部１０の二つの物品収納位置に位置させるのに必要な移動量が確保されている。」（段落【００１４】ないし【００１８】）
　
ｃ）「【００１９】移載装置３の移載動作について、図４に基づいて更に詳述する。移載装置３は、図示を省略するモータの駆動により、図４（ａ）に示すプライマリーフォーク３ａ及びセカンダリーフォーク３ｂが引退して基準位置にある状態から、プライマリーフォーク３ａとセカンダリーフォーク３ｂとが連動して両側の物品収納棚１方向に突出作動する。プライマリーフォーク３ａとセカンダリーフォーク３ｂの突出姿勢は、上述のように物品収納部１０が奥行き方向に２つの物品Ｌを並べて収納可能となっている関係上、図４（ｂ）に示すようにプライマリーフォーク３ａが略最大限まで突出して、プライマリーフォーク３ａの２つの物品Ｌの位置が、平面視で物品収納部１０における２つの物品収納位置に一致する姿勢と、図４（ｃ）に示すようにプライマリーフォーク３ａ上の移動方向先端側に位置する物品Ｌの位置が、平面視で物品収納部１０における２つの物品収納位置のうちの手前側の物品収納位置に一致する姿勢とをとり得る。
【００２０】実際の移載動作では、図４（ｂ）に示す突出姿勢あるいは図４（ｃ）に示す突出姿勢で、昇降台２ｃを上昇又は下降させて物品Ｌをすくいとる又は物品Ｌを降ろす動作を行うのであるが、物品収納部１０の奥行き方向に並ぶ全ての物品収納位置（本実施の形態では２つの物品収納位置）を対象として一括して物品Ｌの移載を行う移載動作を一括移載動作、一部の物品収納位置（本実施の形態では手前側の物品収納位置）を対象として物品Ｌの移載を行う移載動作を部分移載動作と呼ぶこととする。
【００２１】以上は、移載装置３と物品収納部１０との関係で説明したが、上述の移載動作は、移載装置３と荷捌き部ＬＴのリフタ１４，１５との関係においても同様であり、移載装置３は、荷捌き部ＬＴにおいて、一連に並ぶ全ての前記設定保持位置（本実施の形態では、２つのリフタ上の２つの設定保持位置）を対象として一括して物品の移載を行う移載動作（以下、「荷捌き部用一括移載動作」という）と、一部の設定保持位置（本実施の形態では、移載装置３から見て手前側の入庫第２リフタ１４ｂ及び出庫第２リフタ１５ｂ上の設定保持位置）を対象として物品の移載を行う移載動作（以下、「荷捌き部用部分移載動作」という）とを行うことができる。」（段落【００１９】ないし【００２１】）
　
ｄ）「【００２２】次に、上記構成の物品収納設備ＳＳの制御構成について図５に基づいて説明する。図示を省略するが、スタッカクレーン２を構成する台車２ａ，昇降台２ｃ及び移載装置３の夫々には、夫々の動作を制御するためのセンサー類やシーケンサ等の制御装置が備えられ、又、荷捌き部ＬＴに備えられた入庫コンベア１１，出庫コンベア１２及びリフタ１４，１５にも同様にセンサー類や制御装置が備えられている。これら各機器の制御装置に対して動作指令を送る搬送制御装置ＴＣが設けられ、更に、物品収納棚１の各物品収納部１０における物品Ｌの収納状況を管理する入出庫管理部ＤＢが設けられている。入出庫管理部ＤＢでは、各物品収納部１０の各物品収納位置における物品存否情報を記憶している。尚、搬送制御装置ＴＣと物品収納設備ＳＳに対して物品Ｌの搬出入を行う搬出入コンベア３０とは、搬送制御装置ＴＣに備えられたデータ出力部としての通信インターフェース１３ａと、搬出入コンベア３０に備えられた通信インターフェース１３ｂとを介して通信可能に構成されている。」（段落【００２２】）
　
ｅ）「【００３０】次に荷捌き部ＬＴに１個の物品Ｌのみが搬入されたケースについて説明する。荷捌き部ＬＴのリフタ１４上の何れか一方にのみ物品Ｌが存在する場合（ステップ＃１０）の入庫先の特定等の処理を以下のようにして行う。先ず、入出庫管理部ＤＢに記憶されている物品存否情報を検索して、各ゾーンで確保すべき空きの物品収納部１０を除いた上で１個又は２個の空きの物品収納位置が存在する物品収納部１０をリストアップして空きの有無を確認する（ステップ＃１５）。このリストアップは物品収納棚１の全体が収納効率優先モードあるいは出庫効率優先モードに設定されていれば、全体の物品収納部１０を対象として実行し、ゾーン毎に収納効率優先モードと出庫効率優先モードとが設定されてそれらが混在しているときは、入庫する物品Ｌと対応付けて搬出入コンベア３０から送られてくる収納効率優先モード又は出庫効率優先モードの何れかを指定する情報に基づいて、指定されたモードに設定されているゾーンの物品収納部１０を対象として実行する。
【００３１】上述のように少なくとも１個の空きの物品収納位置が存在する物品収納部１０がリストアップされると、収納効率優先モードに設定されているか、出庫効率優先モードに設定されているかに応じて収納先の特定及び移載動作の指定を行う（ステップ＃１６）。すなわち、収納効率優先モードに設定されているときは、収納可能な物品収納部１０として２個の物品Ｌが収納可能な物品収納部１０と手前側の物品収納位置にのみ収納可能な物品収納部１０とがリストアップされていれば、上述のように、奥側の物品収納位置に物品Ｌが存在する状態の物品収納部１０の何れかを物品Ｌの収納先として特定し、物品収納部１０での移載動作は部分移載動作を指定する。このときの荷捌き部ＬＴでの移載動作は、収納先が入庫コンベア１１側の物品収納棚１であれば入庫第２リフタ１４ｂ上の物品Ｌに対して荷捌き部用部分移載動作を指定し、収納先が出庫コンベア１２側の物品収納棚１であれば入庫第２リフタ１４ｂ上の物品に対して荷捌き部用一括移載動作を指定する。
【００３２】リストアップされた物品収納部１０が２個の物品Ｌを収納可能な物品収納部１０のみであれば、それらのうちの何れかの物品収納部１０を収納先として特定して、物品収納部１０での移載動作として一括移載動作を指定する。このときの荷捌き部ＬＴでの移載動作は、収納先が入庫コンベア１１側の物品収納棚１であれば、入庫第１リフタ１４ａ上の物品Ｌに対しては荷捌き部用一括移載動作を、入庫第２リフタ１４ｂ上の物品Ｌに対しては荷捌き部用部分移載動作を指定し、収納先が出庫コンベア１２側の物品収納棚１であれば、入庫第２リフタ１４ｂ上の物品Ｌに対して荷捌き部用一括移載動作を指定する。」（段落【００３０】ないし【００３２】）
　
ｆ）「【００３６】このように、物品Ｌを１個のみ搬入する場合の入庫コンベア１１を指定しておくことで、例えば、出庫コンベア１２側の物品収納棚１にある物品収納部１０の奥側の物品収納位置に物品Ｌを入庫させる必要がある場合において、入庫第１リフタ１４ａのある搬送列に物品Ｌが搬入されたのでは、一旦その物品Ｌを入庫第１リフタ１４ａ上から入庫第２リフタ１４ｂ上に移し替える動作を移載装置３等に行わせる必要が生じてしまうが、予め、入庫第２リフタ１４ｂのある搬送列に物品Ｌを搬入すべきことを搬出入コンベア３０に伝えておくことで、上述のような物品Ｌの移し替え動作を回避できるのである。尚、この搬出入コンベア３０に送る情報は、上記のような物品存否情報に基づいて生成された物品搬入位置指示情報の代わりに物品収納棚１の物品存否情報そのものであっても良く、この場合は、搬出入コンベア３０側で搬入する搬送列の特定等を行う。一方、何らかの異常が発生して、「入庫先判別処理」によって入庫先が特定されなかった場合は（ステップ＃２）、移載装置３等によって入庫コンベア１１のリフタ１４上の物品Ｌを出庫コンベア１２のリフタ１５上に移し替えて（ステップ＃５）、搬出入コンベア３０へ排出する。」（段落【００３６】）
　
ｇ）「【００４６】（３）　上記実施の形態では、入庫コンベア１１及び出庫コンベア１２の夫々を物品収納部１０における物品収納位置と対応させて２列の搬送列を構成させているが、図１１に示すように、搬出入コンベア３０に接続される入庫コンベア１１及び出庫コンベア１２自体は１列の搬送列にて構成し、スタッカクレーン２の移載装置３との移載箇所に、旋回駆動装置６１の回転駆動により、図１１において実線で示す移載装置３の移載方向に沿う姿勢と、図１１において２点鎖線で示す入庫コンベア１１又は出庫コンベア１２に沿う姿勢とに旋回可能で且つ前記物品収納部１０の奥行き長さに対応する搬送長を有する旋回コンベア６０を備える構成として、入庫コンベア１１及び出庫コンベア１２の構成の簡素化を図っても良い。尚、入庫側の旋回コンベア６０には、上記実施の形態において入庫コンベアの各搬送列に備えられたものと同一構成の２基のリフタ１４が備えられ、更に、出庫側の旋回コンベア６０にも同様に２基のリフタ１５が備えられている。」（段落【００４６】）なお、丸付き数字は、「（３）」ないし「（５）」で代用している。
　
（２）上記（１）ａ）ないしｇ）及び図面の記載より分かること
　
イ）上記（１）ｂ）及び図１ないし３の記載によれば、「物品収納棚１」は、奥行き方向に物品収納位置が２個設定されて、２個の「物品Ｌ」を並べて収納可能な「物品収納部１０」を、「スタッカクレーン２」の移動経路の両側に一対、並べて構成されていることが分かる。
　
ロ）上記（１）ｂ）及び図１の記載によれば、「荷捌き部ＬＴ」において、「スタッカクレーン２」側寄りの手前側の物品収納位置に対応した位置に前記「スタッカクレーン２」の移動経路に沿う姿勢で、１列の「入庫コンベア１１」が備えられ、前記「スタッカクレーン２」側から離れた奥側の物品収納位置に対応した位置に前記「スタッカクレーン２」の移動経路に沿う姿勢で、１列の「入庫コンベア１１」が備えられていることが分かる。（なお、図１において、左側の「入庫コンベア１１」（換言すれば、「スタッカクレーン２」側から離れた奥側の物品収納位置に対応した位置に「スタッカクレーン２」の移動経路に沿う姿勢で備えられた「入庫コンベア１１」）を「入庫コンベア１１ａ」、右側の「入庫コンベア１１」（換言すれば、「スタッカクレーン２」側寄りの手前側の物品収納位置に対応した位置に「スタッカクレーン２」の移動経路に沿う姿勢で備えられた「入庫コンベア１１」）を「入庫用コンベア１１ｂ」という。以下、同じ。） 
　
ハ）上記（１）ｃ）ないしｅ）並びに図１及び４の記載によれば、「移載装置３」は、「入庫第２リフタ１４ｂ」上の１個の「物品Ｌ」を、「プライマリーフォーク３ａ」の２つの物品搭載予定位置のいずれへも搭載可能となるように、「プライマリーフォーク３ａ」の突出作動量を２段階に切り換え可能で、且つ、「物品収納部１０」に対する「物品Ｌ」の移載時においても前記２段階の突出作動量の切り換えによって「物品Ｌ」の移載が可能に構成されていることが分かる。
　
ニ）上記（１）ｂ）及び図１の記載によれば、「入庫コンベア１１ａ」及び「入庫コンベア１１ｂ」は、それぞれ、「入庫第２リフタ１４ａ」及び「入庫第２リフタ１４ｂ」を備えていることが分かる。
　
ホ）上記ハ）及びニ）によれば、「移載装置３」は、「入庫コンベア１１ｂ」上の「物品Ｌ」を、「プライマリーフォーク３ａ」におけるいずれの物品搭載予定位置へも搭載可能となるように、前記「プライマリーフォーク３ａ」の突出作動量を２段階に切り換え可能であり、且つ、「物品収納部１０」に対する「物品Ｌ」の移載時においても前記２段階の突出作動量の切り換えによって「物品Ｌ」の移載が可能に構成されていることが分かる。
　
（３）刊行物に記載された発明  
 　 
　したがって、上記（１）及び（２）を総合すると、刊行物には次の発明（以下、「刊行物に記載された発明」という。）が記載されていると認められる。 
　
「奥行き方向に物品収納位置が２つ設定されて２個の物品Ｌを並べて収納可能な物品収納部１０を並べて構成される物品収納棚１と、その物品収納棚１に対して入出庫する物品Ｌの受け渡しをするための荷捌き部ＬＴと、その荷捌き部ＬＴと前記物品収納部１０との間で物品Ｌを搬送するスタッカクレーン２と、そのスタッカクレーン２による物品Ｌの搬送を管理する入出庫管理部ＤＢ及び搬送制御装置ＴＣとが設けられ、
　前記スタッカクレーン２に、前記物品収納部１０において奥行き方向に並んで収納される２個の物品の全てを一括して搭載可能な搭載幅のプライマリーフォーク３ａを有して前記物品収納部１０との間で物品Ｌの移載を行うスライドフォーク式の移載装置３が備えられている物品収納設備であって、
　前記荷捌き部ＬＴにおいて、前記スタッカクレーン２側寄りの手前側の物品収納位置に対応した位置に前記スタッカクレーン２の移動経路に沿う姿勢で、１列の入庫コンベア１１ｂと、前記スタッカクレーン２側から離れた奥側の物品収納位置に対応した位置に前記スタッカクレーン２の移動経路に沿う姿勢で、１列の入庫コンベア１１ａが備えられ、
　前記移載装置３は、前記入庫コンベア１１ｂ上の物品Ｌを、前記プライマリーフォーク３ａにおけるいずれの物品搭載予定位置へも搭載可能となるように、前記プライマリーフォーク３ａの突出作動量を２段階に切り換え可能で、且つ、前記物品収納部１０に対する物品Ｌの移載時においても前記２段階の突出作動量の切り換えによって物品Ｌの移載が可能に構成されている物品収納設備ＳＳ。」 
　
４．対比・判断  
　
　本件発明と刊行物に記載された発明とを対比すると、刊行物に記載された発明における「２つ」、「２個の」、「物品Ｌ」、「物品収納部１０」、「物品収納棚１」、「荷捌き部ＬＴ」、「スタッカクレーン２」、「入出庫管理部ＤＢ及び搬送制御装置ＴＣ」、「プライマリーフォーク３ａ」、「移載装置３」、「１列」、「入庫コンベア１１ｂ」、「２段階」及び「物品収納設備ＳＳ」は、その構造、機能又は技術的意義からみて、それぞれ、本件発明における「複数個」、「複数の」、「物品」、「物品収納部」、「物品収納棚」、「荷捌き部」、「物品搬送装置」、「入出庫管理装置」、「物品搭載部」、「移載装置」、「単列」、「入庫用コンベア」、「複数段階」及び「物品収納設備」に相当する。  
 　 
　したがって、本件発明と刊行物に記載された発明とは、  
「奥行き方向に物品収納位置が複数個設定されて複数の物品を並べて収納可能な物品収納部を並べて構成される物品収納棚と、その物品収納棚に対して入出庫する物品の受け渡しをするための荷捌き部と、その荷捌き部と前記物品収納部との間で物品を搬送する物品搬送装置と、その物品搬送装置による物品の搬送を管理する入出庫管理装置とが設けられ、
　前記物品搬送装置に、前記物品収納部において奥行き方向に並んで収納される複数の物品の全てを一括して搭載可能な搭載幅の物品搭載部を有して前記物品収納部との間で物品の移載を行うスライドフォーク式の移載装置が備えられている物品収納設備であって、
　前記荷捌き部において、前記物品搬送装置側寄りの手前側の物品収納位置に対応した位置に前記物品搬送装置の移動経路に沿う姿勢で、単列の入庫用コンベアが備えられ、
　前記移載装置は、前記入庫用コンベア上の物品を、前記物品搭載部におけるいずれの物品搭載予定位置へも搭載可能となるように、前記物品搭載部の突出作動量を複数段階に切り換え可能で、且つ、前記物品収納部に対する物品の移載時においても前記複数段階の突出作動量の切り換えによって物品の移載が可能に構成されている物品収納設備。」の点で一致し、次の点で相違する。 
　
＜相違点＞
　
　「荷捌き部」における「入庫用コンベア」に関し、本件発明においては、「物品搬送装置側寄りの手前側の物品収納位置に対応した位置に前記物品搬送装置の移動経路に沿う姿勢で、単列の入庫用コンベアが備えられ」ているのに対して、刊行物に記載された発明においては、「物品搬送装置側寄りの手前側の物品収納位置に対応した位置に前記物品搬送装置の移動経路に沿う姿勢で、単列の入庫コンベア１１ｂが備えられ」ているのに加えて、「スタッカクレーン２側から離れた奥側の物品収納位置に対応した位置に前記スタッカクレーン２の移動経路に沿う姿勢で、単列の入庫コンベア１１ａが備えられ」ている点（以下、「相違点」という。）。
　
　上記相違点について検討する。 
　
　上記３．（１）ｆ）で摘記したとおり、刊行物には、物品Ｌを１個のみ搬入する場合の入庫コンベア１１を、入庫第２リフタ１４ｂのある側に指定することにより、出庫コンベア１２側の物品収納棚１にある物品収納部１０の奥側の物品収納位置に物品Ｌを入庫させる必要がある場合において、入庫第１リフタ１４ａのある搬送列に物品Ｌが搬入されたのでは、一旦その物品Ｌを入庫第１リフタ１４ａ上から入庫第２リフタ１４ｂ上に移し替える動作を移載装置３等に行わせる必要が生じてしまうという物品Ｌの移し替え動作を回避することが開示されている。
　そして、刊行物に記載された発明は、荷捌き部ＬＴにおける入庫コンベア１１の搬送列を、スタッカクレーン２側寄りの手前側の物品収納位置に対応した位置に前記スタッカクレーン２の移動経路に沿う姿勢で備えられた、１列の入庫コンベア１１ｂに指定することで、物品Ｌの入庫に関して、入庫コンベア１１側の物品収納棚１にある物品収納部１０の奥側と手前側の２つの物品収納位置と出庫コンベア１２側の物品収納棚１にある物品収納部１０の奥側と手前側の２つの物品収納位置とを合わせた４つの物品収納位置のいずれの位置へも、物品Ｌの移し替え動作をすることなく、スタッカクレーン２により、効率よく移載することができるものである。
　そうしてみると、上記３．（１）ｆ）の記載は、スタッカクレーン２側から離れた奥側の物品収納位置に対応した位置にスタッカクレーン２の移動経路に沿う姿勢で備えられた、１列の入庫コンベア１１ａを入庫コンベア１１として使用しないことを示唆しているといえる（以下、「刊行物の示唆」という。）。
　一方、３．（１）ｇ）で摘記したとおり、刊行物には、入庫コンベア１１を１列の搬送列に構成することにより、入庫コンベア１１の構成の簡素化を図ることも開示されているように、一般に物品収納設備の技術分野において、入出庫部、スタッカクレーン及び物品収納棚を含むシステムである物品収納設備の構成の簡素化は、本件出願前周知の課題の一つである（以下、「周知の課題」という。）。
　よって、刊行物に記載された発明における荷捌き部ＬＴについて、刊行物の示唆及び周知の課題を考慮して、スタッカクレーン２側から離れた奥側の物品収納位置に対応した位置に前記スタッカクレーン２の移動経路に沿う姿勢で備えられた、１列の入庫コンベア１１ａを削除して、相違点に係る本件発明の発明特定事項とすることは、当業者が容易に想到することができたことである。
　
　そして、本件発明を全体としてみても、刊行物に記載された発明及び刊行物の示唆並びに周知の課題から予測される以上の格別な効果を奏するものではない。 
　
５．むすび  
　
　以上のとおり、本件発明は、刊行物に記載された発明及び刊行物の示唆並びに周知の課題に基いて、当業者が容易に発明をすることができたものであるから、特許法第２９条第２項の規定により特許を受けることができない。 
　
　よって、結論のとおり審決する。